(57)【要約】【課題】本考案は手書き製図の際、鉛筆等で書いた実線を消し書き直す事無く、実線を消しゴムでこする事によって点線、破線、一点鎖線、二点鎖線に替える事ができ、直線や図形、文字等の一部分も消す事が出来る字消し板を提供する。【解決手段】薄い平板に点線用と鎖線用に長穴を等間隔に配列穿設したものと、一点鎖用用に２個の長穴を１組として等間隔に配列穿設したものと、二点鎖線用に３個の長穴を１組として等間隔に配列穿設したものと、様々な形状の消し穴も配列穿設した字消し板で、鉛筆で書いた実線に消し穴を当て消しゴムでこすって点線等に変更でき、直線や図形、文字等の一部分も消す事が出来る字消し板である。【選択図】図１
0003159682.tif 000002
【実用新案登録請求の範囲】
【請求項１】
金属や合成樹脂等の材質で薄く成形した字消し板（図１−１）に長穴を等間隔に配列穿設また様々な形状の消し穴を穿設してあるのを特徴とした点線字消し板。
【請求項２】
請求項１の字消し板（図１−１）に長穴を等間隔に配列、穿設した消し穴がある（図１−２）の点線用消し穴配列群のあるのを特徴とした点線字消し板。
【請求項３】
請求項１の字消し板（図１−１）に長穴を等間隔に配列，穿設した消し穴がある（図１−３）の鎖線用消し穴配列群のあるのを特徴とした点線消し板。
【請求項４】
請求項１の字消し板（図１−１）に長方形、菱形形状を配列、穿設した消し穴がある（図１−４）の図、文字用消し穴配列、穿設した消し穴がある点線字消し板。
【請求項５】
請求項１の字消し板（図１−１）に二個の長穴を一組として等間隔に配列，穿設した消し穴がある（図１−５）の１点鎖線用消し穴配列群のあるのを特徴とした点線字消し板。
【請求項６】
請求項１の字消し板（図１−１）に三個の長穴を一組として等間隔に配列，穿設した消し穴がある（図１−６）の２点鎖線用消し穴配列群のあるのを特徴とした点線字消し板。
【考案の詳細な説明】
【技術分野】
【０００１】本考案は字消し板の字消し穴配列に関するものである。
【背景技術】
【０００２】字消し板は一般に金属や合成樹脂等の材質平板状に成形してある薄い板に、様々な形状に開口された大小の消し穴が穿設されているもので、書面上の図、文字等の不要な部分に消し穴を合せ、消しゴムで図、文字等の一部分または全部を消すことができる。【０００３】手書き製図の際、鉛筆等で実線を引いた後に実線を点線、破線等に変更したい場合があり、字消し板を使用する方法では、消し穴を実線の上に置き、消し穴に消しゴムをあててこすり実線の一部を消し、消し穴を間隔を置いて移動し消しゴムをあててこすり実線の一部を消し、この作業を繰り返し行い点線、破線等にしているが、この方法では点線、破線等の実線部分の長さ、又その間隔を一定にするには、難しい作業である。【０００４】別の書き直し方法１は、実線を消しゴムで全部消し、再度定規に鉛筆等をあてて点線、破線等を引き直すが、実線部分の長さ、又その間隔を一定にするには、難しい作業である。【０００５】別の書き直し方法２は、点線定規（文献１）を使用して書き直す方法で、実線を全部消しゴムで消し、点線定規（文献１）を書面上に置いて溝の中を鉛筆等で通常の線引きをするように書くと点線、破線等に書き直す事ができるが、点線、破線等の開口部のある専用の点線定規（文献１）を揃えなければならず、また円弧の点線、破線等には使用出来ない。
【先行技術文献】
【０００６】
【文献１】
実用新案登録番号  第３０１０８１１号
【考案の概要】
【考案が解決しようとする課題】
【０００７】手書き製図の際、鉛筆等で実線を引いた後に実線を点線、破線等に変更する方法では上記のような課題があり、本考案はこの課題を解決する為に、手書き製図等の際、鉛筆等で引いた実線を書き直す事なく、消しゴムで実線の一部分を消して点線、鎖線等に替える事ができる点線字消し板を提供すること目的としている。
【課題を解決するための手段】
【０００８】本考案はこの目的を達成する為に請求項１記載の金属や合成樹脂等の材質で薄く成形した字消し板（図１−１）で長穴を等間隔に配列、穿設また様々な形状の消し穴を穿設してあり、消し穴を点線、鎖線等に替える事が出来るように配列構成されている。【０００９】本考案の点線字消し板を実線の消したいところに消し穴を実線の上に置き、字消し板の消し穴に消しゴムをあててこすり実線の一部分を消す事により点線、破線等に換える事ができ、又実線部分の長さ、又その間隔が一定になる。【００１０】書面に手書きされた実線から点線に書き換える場合、請求項１の字消し板に点線用の長穴が等間隔に配列、穿設してある点線用の消し穴（図１−２）を実線に重ねて実線を消し穴から露出させ、その消し穴から実線を消しゴムで消すことにより、実線が点線に変更できる。【００１１】書面に手書きされた実線から鎖線に書き換える場合、請求項１の字消し板に鎖線用の長穴が等間隔に配列、穿設してある鎖線用の消し穴を実線に重ねて実線を消し穴から露出させ、その消し穴から実線を消しゴムで消すことにより、実線が鎖線に変更できる。【００１２】書面に手書きされた実線から一点鎖線に書き換える場合、請求項１の字消し板に長穴が等間隔に配列、穿設してある一点鎖線用の消し穴を実線に重ねて実線を消し穴から露出させ、その消し穴から実線を消しゴムで消すことにより、実線が一点鎖線に変更できる。【００１３】書面に手書きされた実線から二点鎖線に書き換える場合、請求項１の字消し板に長穴が等間隔に配列、穿設してある二点鎖線用の消し穴を実線に重ねて実線を消し穴から露出させ、その消し穴から実線を消しゴムで消すことにより、実線が二点鎖線に変更できる。【００１４】請求項１記載の字消し板には、長穴の他に様々な形状の消し穴を穿設してあるので直線、図，文字等の一部分を消す事が出来る。【００１５】字消し板に穿設してある消し穴の形状は長穴の他に四角形、長方形、角形の一辺を円弧にした方円形等の形状のものと、その組合せをした形状の消し穴でも良い。
【考案の効果】
【００１６】実線を書き直すことなく実線の一部分を消すことにより点線、鎖線、一点鎖線，２点鎖線に変更する事が出来，また円弧もこの字消し板で点線等に書き直す事も出来る。【００１７】この字消し板で点線等に書き直すと実線の長さ、またその間隔も均一化された図面となり見栄えがよくなり、また直線、図，文字等の一部分を消す事も出来る。
【図面の簡単な説明】
【００１８】
【図１】本考案の点線字消し板平面図
【符号の説明】
【００１９】１  本考案の字消し板
２  点線用消し穴配列群
３  鎖線用消し穴配列群
４  他形状消し穴配列群
５  １点鎖線用消し穴配列群
６  ２点鎖線用消し穴配列群
【図１】
0003159682.tif 000003
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
金属又は合成樹脂のいずれかの材質で薄く成形した板であって長穴を等間隔に配列穿設され又所望の形状の消し穴を穿設してあることを特徴とした点線字消し板。
【請求項２】
請求項１の字消し板は更に鎖線用消し穴配列群のあることを特徴としたことを特徴とする請求項１記載の点線字消し板。
【請求項３】
上記所望の形状の消し穴は長方形又は菱形形状であることを特徴とする請求項１又は２のいずれかに記載の点線字消し板。
【手続補正２】
【補正対象書類名】明細書
【補正対象項目名】０００８
【補正方法】変更
【補正の内容】
【０００８】
本考案はこの目的を達成するために金属又は合成樹脂のいずれかの材質で薄く成形した字消し板であって長穴を等間隔に配列穿設され又所望の形状の消し穴を穿設してあることを特徴とした点線字消し板である。
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
金属又は合成樹脂のいずれかの材質で薄く成形した板であって長穴を等間隔に配列穿設され又消し穴を穿設してあることを特徴とした点線字消し板。
【請求項２】
請求項１の字消し板は更に鎖線用消し穴配列群のあることを特徴とする請求項１記載の点線字消し板。
【請求項３】
上記消し穴の形状は長方形又は菱形形状であることを特徴とする請求項１又は２のいずれかに記載の点線字消し板。
【手続補正２】
【補正対象書類名】明細書
【補正対象項目名】０００８
【補正方法】変更
【補正の内容】
【０００８】
本考案はこの目的を達成する為に金属又は合成樹脂のいずれかの材質で薄く成形した字消し板であって長穴を等間隔に配列穿設され又消し穴を穿設してあることを特徴とした点線字消し板である。